(57)【要約】      （修正有）【課題】登山中の遭難などにおいて、高空に風船体を浮上させ、救助要請情報を伝達できるようにした空中を漂流させる救援装置を提供する。【解決手段】主に箱体１が設けられ、箱体の中に複数の収納区１１が設けられている。それらの収納区にはそれぞれ空気よりも軽い気体が充填された気体充填瓶１２、風船、適当な長さの線材を巻きつけたボビン１４、および様々な色のリボン１５が収納されている。これは登山や沢登りなどの際に災難が発生したり道に迷ったりした場合、気体充填瓶から風船に気体を充填し、風船の気体吹き入れ口に異なる色のリボンと線材１４１を結びつけて風船を高空に浮かせ、目印として救助を受けられるように構成する。また、様々な色のリボンで死亡、ケガなどの災難状況が表現できる。【選択図】図１
0003149330.tif 000002
【実用新案登録請求の範囲】
【請求項１】
空中を漂流させる救援装置であって、携帯可能なケースを設け、前記ケース内に多数の収納エリアを設け、前記収納エリアにそれぞれ空気ボンベ、気球、巻き付けるのに適度な長さの線材のリール、及び異なるカラーのリボンを納置して、登山或いは川上り等のような活動で遭難したり方向を見失ったりした時、前記空気ボンベで気球を充填させ、気球のノズルの端に異なるカラーのリボンや線材を縛って、気球を上空に漂流させて人目につく標識として救援目的を達し、異なるカラーのリボンによって死亡、負傷等遭難状況を表示することを特徴とする空中を漂流させる救援装置。
【請求項２】
前記空気ボンベはアルゴンガス、窒素ガスなど空気より軽い気体を注入し、気球に気体を充填させて上空で漂流させることができることを特徴とする請求項１に記載する空中を漂流させる救援装置。
【請求項３】
前記気球に縛るためのリボンは黒、赤、黄色等のカラーを含み、死亡、負傷若しくは方向を見失うなどの情報を代表することを特徴とする請求項１に記載する空中を漂流させる救援装置。
【考案の詳細な説明】
【技術分野】
【０００１】
本発明は一つの空中を漂流させる救援装置に関するものであり、特に登山又は沢登りなどの際に災難が発生したり、道に迷ったりした時、高空での救助要請情報となり、かつ災難の状態を適切に表現できる救助要請装置である。
【背景技術】
【０００２】
一般的に登山或いは沢登りなどで人員の死亡、ケガなどの災難または道路状況情報の誤りによって道に迷ったりした時、現在の救助要請方法では通常、無線もしくは携帯電話によって救難関係者へ告知を行うのであるが、無線伝送は地形、環境および天候の影響を受けやすいために適時に災難が発生した地点を確実に伝達することが難しいということが度々起こっている。遭難者の一部は煙を上げる方法で伝達するが、天候の影響を受けやすく、救難関係者が災難発生地点を正確に探し出すことが難しい。そのため度々救難が遅れ、不必要な負傷や死亡が発生しており、有効な改善が待たれている。申請者はこれらに鑑み、関連する業務に長年携わってきた経験により絶えず研究と実験を重ね、改良を行ってきた。災難発生時、適時に災難発生地点を確実に伝達して早い救助が得られるよう望んでいる。
【考案の開示】
【考案が解決しようとする課題】
【０００３】
本発明の主要目的は、一種の空中を漂流させる救援装置を提供して登山或いは沢登りなどで災難が発生したり道に迷ったりした際、高空に救助要請情報を掲げ、かつ適切に災難の状態を表現して、救難関係者の素早い救助に役立てるものである。
【課題を解決するための手段】
【０００４】
前述の空中を漂流させる救援装置は、携帯できる箱体一が設けられ、箱体の中に複数の収納区が設けられている。それらの収納区にはそれぞれ空気よりも軽い気体が充填された気体充填瓶、風船、適当な長さの線材を巻きつけたボビン、および様々な色のリボンが収納されている。これは登山や沢登りなどの際に災難が発生したり道に迷ったりした場合、気体充填瓶から風船に気体を充填し、風船の気体吹き入れ口に異なる色のリボンと線材を結びつけて風船を高空に浮かせ、目印として救助を受けるという目的を達成するものである。また、様々な色のリボンで死亡、ケガなどの災難状況が表現できる。
【考案の効果】
【０００５】
前述の空中を漂流させる救援装置の中の気体充填瓶にはアルゴン、窒素など空気よりも軽い気体が充填されており、風船に気体が充填された後、高空に浮上させることができる。
【０００６】
前述の空中を漂流させる救援装置の中にある風船に結びつけるリボンには黒、赤、黄色などの色があり、死亡、ケガまたは道に迷ったなどの情報を伝えることができる。
【考案を実施するための最良の形態】
【０００７】
〔実施例〕
〔第１図〕
図１を参照されたい。本発明の主要なもので、携帯可能な一箱体1が設けられている。箱体内部1には複数の収容区11が設けられている。それら収納区11にはそれぞれ気体充填瓶12、複数の風船13、適当な長さの線材141を巻きつけたボビン14、及び異なる色のリボン15が収納されている。その中で気体充填瓶12にはアルゴン、窒素など空気よりも軽い気体が充填されている。線材14は強さを持つ材質を使用する。リボン15は黒、赤、黄色などの色のものが含まれ、死亡、ケガまたは道に迷ったなどの情報を表す。
【０００８】
前述の構成部品の組合せを通じ、パッケージングが完了した箱体1は登山或いは沢登りなどに携帯する。災難の発生や道に迷ったりした場合に気体充填瓶12より風船13に気体を充填し、風船13の気体吹き入れ口端に異なる色のリボン15と線材14を縛り付け、風船13を高空に浮上させて目立つ目印とすることで、救助を受ける目的を達成する。救難人員が確実な災難地点を認識して救難の準備を行うために、異なる色のリボン15によって死亡、ケガなど災難の状態を表す。
【０００９】
〔図２〕
図２を参照されたい。本発明の使用時のものである。登山或いは沢登りの際に携帯する。災難の発生や道に迷ったりした際、まず風船13を箱体1より取出し、気体充填瓶12の気体充填口に風船13の気体吹き入れ口を被せ、気体充填瓶12に収められているアルゴン、窒素など空気より軽い気体を風船13に充填し、風船を浮上させる。
【００１０】
〔図３〕
図３を参照されたい。本発明は風船13に充填した後、風船13の気体吹き入れ口端に異なる色のリボン15と線材14を結びつける。風船13内にアルゴン、窒素など空気よりも軽い気体が充満することにより、風船13を高空に浮上させて目立つ目印とする。さらに風船13の方角に従って救難人員は確実な災難地点を探し出し、救難時間の確実なコントロールが行えるようにする。また、風船に縛り付けるリボン15は黒、赤、黄色などの色が含まれ、死亡、ケガ、または道に迷ったなどの情報を表す。そのため救難人員はリボン15の色をもとに救難用具や医療器材等の物品を予め準備することができ、災難の状況が把握できないことによって救難の機先を逃すことが避けられる。
【００１１】
上述をまとめると、本発明は気体を充填する風船と風船に結びつけるリボンと線材を提供する空中を漂流させる救援装置である。登山或いは沢登りの際、災難が発生したり道に迷ったとき、高空の救助要請の情報を提供するものである。また、災難の状況を適切に表現し、救難関係者の素早い救助に役立てるという実用的な設計であり、確実に新しい発明である。そこで法に則り特許申請を行うものである。願わくは貴局の審査により早く特許が認められれば大変幸いである。
【図面の簡単な説明】
【００１２】
【図１】図１は本発明の立体図である。
【図２】図２は本発明の風船に気体を充填する例の図である。
【図３】図３は本発明の浮上実施例図である。
【符号の説明】
【００１３】
１      箱体
１１    収納区
１２    気体充填瓶
１４    ボビン
１４１  線材
１５    リボン
【図１】
0003149330.tif 000003
【図２】
0003149330.tif 000004
【図３】
0003149330.tif 000005
【手続補正書】
【提出日】平成21年1月21日(2009.1.21)
【手続補正１】
【補正対象書類名】実用新案登録請求の範囲
【補正対象項目名】全文
【補正方法】変更
【補正の内容】
【実用新案登録請求の範囲】
【請求項１】
空中を漂流させる救援装置であって、携帯可能なケースを設け、前記ケース内に多数の収納エリアを設け、前記収納エリアにそれぞれ空気ボンベ、気球、巻き付けるのに適度な長さの線材のリール、及び異なるカラーのリボンを納置して、登山或いは川上り等のような活動で遭難したり方向を見失ったりした時、前記空気ボンベで気球を充填させ、気球のノズルの端に異なるカラーのリボンや線材を縛って、気球を上空に漂流させて人目につく標識として救援目的を達し、異なるカラーのリボンによって死亡、負傷等遭難状況を表示することを特徴とする空中を漂流させる救援装置。
【請求項２】
前記気球に縛るためのリボンは黒、赤、黄色等のカラーを含み、死亡、負傷若しくは方向を見失うなどの情報を代表することを特徴とする請求項１に記載する空中を漂流させる救援装置。